(57)【特許請求の範囲】
【請求項１】
本体扉によって開閉されるディスペンサ本体と、
前記本体扉に設けられた開口部、及び前記ディスペンサ本体の内部に設けられて飲料が内部に注出されるカップステージから形成される注出空間と、
前記開口部を開閉する注出口扉と、
前記注出口扉を回動可能に支持して前記注出口扉による前記開口部の開閉を可能にする回動支持部材と
を備えた飲料ディスペンサにおいて、
前記注出口扉を前記本体扉に対して固定する固定部材をさらに備え、
前記固定部材は、前記回動支持部材が接合される支持部と、前記本体扉に締結される締結部とを有し、
前記締結部は、前記注出空間の外部で前記本体扉の背面側に締結されることを特徴とする飲料ディスペンサ。
【請求項２】
前記注出空間は、前記開口部と前記カップステージとが互いに対向することによって形成され、
前記締結部は、前記カップステージと前記開口部との間を通って前記注出空間の外部に延出して、前記本体扉の前記背面側に締結される請求項１に記載の飲料ディスペンサ。
【請求項３】
前記本体扉の前記背面には、前記開口部の内部側面に対して略平行に延在する補強リブが形成され、
前記固定部材はコ字状に形成され、前記内部側面及び前記補強リブに当接する請求項１または２に記載の飲料ディスペンサ。
【請求項４】
前記本体扉の前記背面に固定される金属製の補強部材をさらに備え、
前記締結部は、前記補強部材を介して前記本体扉に締結される請求項１〜３のいずれか一項に記載の飲料ディスペンサ。
【発明の詳細な説明】
【技術分野】
【０００１】
この発明は飲料ディスペンサに係り、特に、飲料が注出される容器を出し入れするための注出空間周辺の構成に関する。
【背景技術】
【０００２】
特許文献１に記載の給茶機（飲料ディスペンサ）によれば、給茶機本体の内部に設けられたカップステージと前面扉に形成された開口部とによって注出空間が形成され、その内部に載置されたカップ等の容器に飲料が注出されるようになっている。一般に、この給茶機のような飲料ディスペンサを職場や食堂等に設置して飲料を無料で提供する場合、利用者が混雑することなく手軽に飲料を飲めるようにするため、前面扉の開口部を開放しておくことが多い。一方、注出中の飲料による利用者の火傷を防止する必要がある場合等においては、飲料が注出空間の外部に飛散することを防止するため、前面扉の開口部を開閉する注出口扉を設けることが多い。
【先行技術文献】
【特許文献】
【０００３】
【特許文献１】特開２００４−１１３２８２号公報
【発明の概要】
【発明が解決しようとする課題】
【０００４】
特許文献１に記載の給茶機に注出口扉を取り付けようとする場合、前面扉の開口部にヒンジをビス止めし、ヒンジによって注出口扉を回動可能に支持することが考えられる。しかしながら、この場合、ビスは注出空間の内部に配置されるため、注出中に飛散した飲料が汚れとして付着する。また、ビス及びその周辺には汚れが溜まりやすく、且つ溜まった汚れを掃除しにくいため、注出空間の内部を衛生的に保つことが困難であるという問題点が生じる。
【０００５】
この発明は、このような問題点を解決するためになされたもので、注出空間の内部を衛生的に保つことを容易にした飲料ディスペンサを提供することを目的とする。
【課題を解決するための手段】
【０００６】
この発明に係る飲料ディスペンサは、本体扉によって開閉されるディスペンサ本体と、本体扉に設けられた開口部、及びディスペンサ本体の内部に設けられて飲料が内部に注出されるカップステージから形成される注出空間と、開口部を開閉する注出口扉と、注出口扉を回動可能に支持して注出口扉による開口部の開閉を可能にする回動支持部材とを備えた飲料ディスペンサにおいて、注出口扉を本体扉に対して固定する固定部材をさらに備え、固定部材は、回動支持部材が接合される支持部と、本体扉に締結される締結部とを有し、締結部は、注出空間の外部で本体扉の背面側に締結されることを特徴とするものである。
【０００７】
回動支持部材が接合される支持部と、本体扉に締結される締結部とを有する固定部材を用いて注出口扉を本体扉に固定するようにし、締結部を注出空間の外部で本体扉の背面側に締結したので、締結のために用いられる部材や部位、すなわち汚れが溜まりやすいビスやビス穴等が注出空間の内部で露出することがない。また、締結部を本体扉の背面側に締結したので、本体扉を開ければ注出口扉、回動支持部材及び固定部材を一体として取り外すことが可能となり、注出空間の内部で固定部材周辺が汚れたとしても、容易に掃除を行うことができる。したがって、飲料ディスペンサにおいて、注出空間の内部を衛生的に保つことが容易になる。
【０００８】
注出空間は、開口部とカップステージとが互いに対向することによって形成され、締結部は、カップステージと開口部との間を通って注出空間の外部に延出して、本体扉の背面側に締結されてもよい。飲料ディスペンサが元々備えているカップステージと開口部との間の僅かな隙間に締結部を通すため、カップステージや開口部に対し、締結部を注出空間の外部に延出させるための穴や溝等の加工を行う必要がない。
本体扉の背面には、開口部の内部側面に対して略平行に延在する補強リブが形成され、固定部材はコ字状に形成され、内部側面及び補強リブに当接してもよい。注出口扉を開閉する際に本体扉に作用する荷重が開口部と補強リブとに分散されるため、本体扉の耐久性を向上することができる。また、固定部材を開口部の内部側面と補強リブとに嵌め込むように取り付けることが可能となり、固定部材を取り付ける際の位置決めが容易となる。
本体扉の背面に固定される金属製の補強部材をさらに備え、締結部は、補強部材を介して本体扉に締結されてもよい。本体扉は樹脂製であることが一般的であるため、金属製の補強部材を用いることにより、本体扉の耐久性をさらに向上することが可能となる。
【発明の効果】
【０００９】
この発明によれば、飲料ディスペンサにおいて、注出空間の内部を衛生的に保つことが容易になる。
【図面の簡単な説明】
【００１０】
【図１】この発明の実施の形態１に係る飲料ディスペンサを概略的に示す斜視図である。
【図２】実施の形態１に係る飲料ディスペンサにおいて、本体扉が開いた状態を概略的に示す斜視図である。
【図３】実施の形態１に係る飲料ディスペンサにおける固定部材を示す斜視図である。
【図４】（ａ）は実施の形態１に係る飲料ディスペンサにおける注出空間周辺を示す断面図であり、（ｂ）は注出空間周辺の要部を示す部分拡大断面図である。
【図５】実施の形態１に係る飲料ディスペンサにおける注出空間周辺の構成を示す斜視図である。
【図６】この発明の実施の形態２に係る飲料ディスペンサにおける固定部材を示す斜視図である。
【図７】実施の形態２に係る飲料ディスペンサにおける注出空間周辺の構成を示す斜視図である。
【図８】この発明の実施の形態３に係る飲料ディスペンサにおける注出空間周辺を示す斜視図である。
【発明を実施するための形態】
【００１１】
以下、この発明の実施の形態について添付図に基づいて説明する。
実施の形態１．
図１に、この実施の形態１に係る飲料ディスペンサ１を示す。尚、飲料ディスペンサ１における上下方向及び前後方向を図１に示す各矢印によって規定する。
飲料ディスペンサ１は、前面開口を有する箱状のディスペンサ本体２と、ディスペンサ本体２の前部に設けられた樹脂製の本体扉であるフロントパネル３とを備えている。フロントパネル３は、ディスペンサ本体２の一方の側部に回動可能に支持されており、フロントパネル３を回動させることによってディスペンサ本体２の前面開口が開閉されるようになっている（図２の矢印Ｂ参照）。また、フロントパネル３の前面には、複数のボタン４ａが配置された操作パネル４が設けられており、飲料ディスペンサ１の利用者がボタン４ａを操作することによって飲料の注出が行われるようになっている。
【００１２】
また、飲料ディスペンサ１は、操作パネル４の下方で開口する注出空間５を有している。注出空間５は、ディスペンサ本体２の内部側に延在する空間であって、その内部における前方側に注出口扉６が設けられることによって、注出空間５の内部と外部とが遮断されるようになっている。注出口扉６は、一端側を回動支持部材である一対のヒンジ７によって回動可能に支持されており、矢印Ａで示される方向に回動可能となっている。また、注出口扉６の他端側には、注出口扉６を回動させる際に利用者が把持するためのハンドル８が固定されている。ここで、飲料ディスペンサ１は、注出空間５の内部に載置されたカップ等の容器に飲料を注出するものであり、注出口扉６を回動させることによって、注出空間５への容器の出し入れが可能となる。
【００１３】
図２に示すように、注出空間５は、ディスペンサ本体２の内部に設けられたカップステージ１１と、フロントパネル３に開口部として設けられた開口枠１２とから形成されている。カップステージ１１は、前方側で開口した箱状の部材であって、その内部に容器が載置されるようになっている。一方、開口枠１２は、注出口扉６によって開閉される部位であって、フロントパネル３の背面３ａから突出するように設けられている。ここで、フロントパネル３の背面３ａとは、フロントパネル３を閉じた際にディスペンサ本体２の内部側に位置する側の面である。カップステージ１１の前方側の周縁部１１ａと開口枠１２の後方側の周縁部１２ａとは、フロントパネル３が閉じられた際に互いに対向するように形成されており、それにより、注出空間５の内部がディスペンサ本体２の内部から隔てられるようになっている。また、開口枠１２の一方の側部には、注出口扉６をフロントパネル３に固定するため、後に詳述する固定部材２１が設けられている。
【００１４】
尚、飲料ディスペンサ１は、粉末原料と水とを混合することによって飲料を生成するものであり、ディスペンサ本体２の内部における上方側には、粉末原料が収容された３つのキャニスタ１３が横方向に並べられた状態で設けられている。また、各キャニスタ１３の下方には、対応するキャニスタ１３から供給される粉末原料と、図示しない給水管から供給される水とを攪拌して飲料を生成するミキシングユニット１４がそれぞれ設けられている。さらにその下方には、ミキシングユニット１４から放出される飲料を受けるガイド部材１５が設けられており、ガイド部材１５の底部には、飲料をカップステージ１１の内部に注出するための放出穴１５ａが形成されている。
【００１５】
ここで、図３〜５を用いて、固定部材２１の構成及びその周辺の構成について詳細に説明する。
図３（ａ）に示すように、固定部材２１は金属製の薄板からなる部材であって、平面部２１ａの一端側に形成された支持部２１ｂと、他端側に形成された締結部２１ｃとを有している。支持部２１ｂは、平面部２１ａの一端側を二箇所で屈折させることによって形成され、平面部２１ａに対して略平行に延在する部位であって、この支持部２１ｂに一対のヒンジ７が接合されることによって、注出口扉６（図１参照）と固定部材２１とが連結されている。
【００１６】
尚、ヒンジ７は、第一ブラケット７ａと第二ブラケット７ｂとを、これらが相対的に回動可能となるように軸部７ｃを介して連結した部材である。ヒンジ７と固定部材２１とは、ヒンジ７の第一ブラケット７ａと固定部材２１の支持部２１ｂとを、例えば溶接等で接合することによって固定されている。一方、締結部２１ｃは、支持部２１ｂとは反対側に屈折されてＬ字状に形成された部位であって、固定部材２１をフロントパネル３に固定するビス２４（図４（ｂ）参照）を通すための貫通穴２２（図３（ｂ）参照）が二箇所に形成されている。
【００１７】
図４（ａ）に示すように、フロントパネル３はパネル本体３ｂと枠部材３ｃとを有しており、これらが接合されることによって、背面３ａから突出する開口枠１２が形成されている。また、固定部材２１は、開口枠１２の内周部において図４（ａ）の左側に位置する内部側面１２ｂに設けられている。図４（ｂ）に示すように、固定部材２１の支持部２１ｂは、注出空間５の内部における前方側に配置されている。支持部２１ｂに固定されたヒンジ７には、注出口扉６の一端側が取り付けられており、それにより、注出口扉６と固定部材２１とがヒンジ７を介して連結され、注出口扉６が図４（ａ）の矢印Ａで示す方向に回動可能に支持された状態となっている。
【００１８】
図４（ｂ）に示すように、固定部材２１の平面部２１ａは、開口枠１２の内部側面１２ｂに当接している。また、固定部材２１の締結部２１ｃは、フロントパネル３が閉じられた状態において互いに対向するカップステージ１１と開口枠１２との間を通って注出空間５の外部、すなわちディスペンサ本体２の内部におけるフロントパネル３の背面３ａ側に延出している。フロントパネル３の背面３ａには、開口枠１２の外周部から突出するボス２３が二箇所（図５参照）に形成されている。締結部２１ｃは、これらのボス２３に対して、ビス２４及びワッシャ２５を用いて締結されている。
【００１９】
このように、固定部材２１をフロントパネル３に固定するためのビス２４及びワッシャ２５は、注出空間５の内部側ではなく、ディスペンサ本体２の内部側であるフロントパネル３の背面３ａ側に取り付けられるため、注出口扉６を開いたときに、利用者からはビス２４及びワッシャ２５が見えないようになっている。また、図５に示すように、締結部２１ｃは、その貫通穴２２に通されたビス２４を、フロントパネル３のボス２３に形成されたビス穴２３ａに締め付けることによって締結されている。すなわち、フロントパネル３を開ければ（図２参照）、注出口扉６、ヒンジ７及び固定部材２１を一体として着脱できるようになっている。また、フロントパネル３は樹脂製であるため、開口枠１２の内部側面１２ｂにヒンジ７を直接ビス止めした場合、ビス止めされた部位の強度が低下する。それに対し、飲料ディスペンサ１では固定部材２１の締結部２１ｃをフロントパネル３の背面３ａ側に締結しているので、上記のような強度の低下を生じることなく、注出口扉６を支持することが可能となっている。
【００２０】
尚、注出口扉６の前面には平板状のプレート２６が設けられており、プレート２６は、その背部から突出して注出口扉６を貫通するネジ部２６ａを有している。注出口扉６は、注出口扉６を貫通したネジ部２６ａに袋ナット２７を締結することによってヒンジ７の第二ブラケット７ｂに取り付けられている。
【００２１】
次に、この実施の形態１に係る飲料ディスペンサ１によって飲料の注出を行う際の動作及び操作方法について説明する。
図１に示すように、まず飲料ディスペンサ１の利用者によって注出口扉６が開かれ、注出空間５の内部に入れられたカップ等の容器がカップステージ１１（図２参照）の底部に載置される。次いで、利用者は、注出口扉６を閉じた後に操作パネル４のボタン４ａを操作し、それにより、注出すべき飲料が選択される。図２に示されるように、注出すべき飲料が選択されると、対応するキャニスタ１３からの粉末原料と、図示しない給水管からの水とがミキシングユニット１４に供給される。ミキシングユニット１４は、これらを内部で攪拌することによって飲料を生成し、生成した飲料をガイド部材１５に放出する。ガイド部材１５に放出された飲料は、放出穴１５ａを介してカップステージ１１内の容器に注出される。飲料の注出が終了すると、利用者によって注出口扉６が開かれ、飲料が注出された容器が注出空間５から取り出される。
【００２２】
尚、飲料ディスペンサ１は３つのキャニスタ１３を備えており、通常、各キャニスタ１３内には異なる粉末原料が収容されている。すなわち、飲料ディスペンサ１は、異なる３種類の飲料を注出可能となっており、注出される飲料の種類は利用者の操作によって選択されるものであるが、各キャニスタ１３及び各ミキシングユニット１４の動作は、選択された飲料の種類に関わらず共通である。
【００２３】
ここで、図４（ａ）に示すように、フロントパネル３を閉じた状態において、ディスペンサ本体２の内部と注出空間５の内部とは、カップステージ１１及び開口枠１２によって隔てられている。また、固定部材２１の締結部２１ｃは、注出空間５の外部に延出しており、フロントパネル３の背面３ａに形成されたボス２３にビス２４によって締結されている。すなわち、注出空間５の内部には、汚れが溜まりやすく、且つ溜まった汚れの掃除を行いにくいビス２４やワッシャ２５等が配置されておらず、これらの部材によって生じる凹凸がないため、注出中の飲料が飛散することによって注出空間５の内部が汚れたとしても、その汚れを容易に落とすことが可能となっている。
【００２４】
また、図５に示すように、固定部材２１の締結部２１ｃは、フロントパネル３の背部に形成されたボス２３のビス穴２３ａにビス２４を締め付けることによって取り付けられているため、フロントパネル３を開けてビス２４及びワッシャ２５を取り外せば、固定部材２１を容易に取り外すことができるようになっている。すなわち、固定部材２１及びその周辺に汚れが溜まったとしても、注出口扉６、ヒンジ７及び固定部材２１を一体として取り外せるため、汚れた箇所の掃除を容易に行うことが可能となっている。
【００２５】
さらに、注出口扉６、ヒンジ７及び固定部材２１を取り外した際、これらを固定するためのボス２３が注出空間５の内部で露出することがないため、飲料ディスペンサ１の利用形態等に応じて注出口扉６を取り付けない場合において、ボス２３及びビス穴２３ａによって注出空間５内の見た目が悪くなることがない。ここで、注出口扉６を設けるかどうかは飲料ディスペンサ１の利用形態等に応じて異なるため、フロントパネル３を共通の部品とし、注出口扉６を選択的に取り付け可能とすることが望まれる。
【００２６】
この場合、固定部材２１を用いずに、開口枠１２にヒンジ７をビス止めしようとすると、その都度ビス穴の加工を行う必要が生じて製造効率が悪くなるため、開口枠１２に予めビス穴を形成しておくことが考えられる。しかしながら、注出口扉６を取り付けない製品ではビス穴が露出した状態となって見た目が悪くなり、且つ露出したビス穴に汚れが溜まるため、注出口の内部を衛生的に保つことが困難になるという問題点が生じる。すなわち、固定部材２１を備えた飲料ディスペンサ１では、予めボス２３及びビス穴２３ａが形成されているフロントパネル３を注出口扉６の有無に関わらず共通の部品として用いることが可能となり、その際に製品の見た目が悪くなることや注出空間５の内部が不衛生になることがない。
【００２７】
このように、ヒンジ７が接合される支持部２１ｂと、フロントパネル３に締結される締結部２１ｃとを有する固定部材２１を用いて注出口扉６をフロントパネル３に固定するようにし、締結部２１ｃを注出空間５の外部でフロントパネル３の背面３ａ側に締結したので、汚れが溜まりやすいビス２４やビス穴２３ａ等が注出空間５の内部で露出することがない。また、締結部２１ｃをフロントパネル３の背面３ａ側に締結したので、フロントパネル３を開ければ注出口扉６、ヒンジ７及び固定部材２１を一体として取り外すことが可能となり、注出空間５の内部で固定部材２１周辺が汚れたとしても、容易に掃除を行うことができる。したがって、飲料ディスペンサ１において、注出空間５の内部を衛生的に保つことが容易になる。
【００２８】
また、飲料ディスペンサが元々備えているカップステージ１１と開口枠１２との間の僅かな隙間に締結部２１ｃを通すため、カップステージ１１や開口枠１２に対し、締結部２１ｃを注出空間５の外部に延出させるための穴や溝等の加工を行う必要がない。
【００２９】
実施の形態２．
次に、この発明の実施の形態２に係る飲料ディスペンサの構成について説明する。
この実施の形態２に係る飲料ディスペンサは、実施の形態１における固定部材２１に代えて、以下に説明する固定部材３１を用いるように構成したものである。尚、以下の実施の形態において、図１〜５の参照符号と同一の符号は、同一又は同様な構成要素であるので、その詳細な説明は省略する。
【００３０】
図６に示すように、固定部材３１は、実施の形態１における固定部材２１の平面部２１ａ及び支持部２１ｂと同様である平面部３１ａ及び支持部３１ｂを有している。支持部３１ｂには一対のヒンジ７が接合されており、これらのヒンジ７を介して注出口扉６（図１参照）と固定部材３１とが連結されている。また、固定部材３１は、支持部３１ｂの反対側がコ字状に形成された部材であって、平面部２１ａの先端側で屈折された第一屈折部３１ｄと、第一屈折部３１ｄの先端側でさらに屈折された第二屈折部３１ｅとからなる締結部３１ｃを有している。第二屈折部３１ｅには、固定部材３１をフロントパネル３に固定するための貫通穴３２が二箇所に形成されている。
【００３１】
一方、図７に示すように、フロントパネル３の背面３ａにおいて、開口枠１２の側方に位置する部位には、フロントパネル３の剛性を高めるための補強リブ３ｄが形成されている。また、補強リブ３ｄは、開口枠１２の内部側面１２ｂ（図４（ａ）参照）に対して略平行に延在するように形成されている。ここで、固定部材３１の平面部３１ａと第二屈折部３１ｅとは、互いに対向する側面同士の間が長さＬとなるように形成されている。同様に、補強リブ３ｄは、開口枠１２の内部側面１２ｂ（図４（ａ）参照）と、開口枠１２とは反対側にある補強リブ３ｄの側面との間が長さＬとなるように形成されている。すなわち、固定部材３１は、開口枠１２と補強リブ３ｄとを間に挟むように嵌めこまれる部材であり、その平面部３１ａと第二屈折部３１ｅとが、それぞれ開口枠１２と補強リブ３ｄとに当接するようになっている。補強リブ３ｄにはビス穴３ｅが二箇所に形成されており、ワッシャ２５及び第二屈折部３１ｅの貫通穴３２に通したビス２４をビス穴３ｅに締め付けることによって、締結部３１ｃが補強リブ３ｄに締結される。その他の構成については、実施の形態１と同様である。
【００３２】
このように、締結部３１ｃを有し、コ字状に形成された固定部材３１を用いることによって注出口扉６をフロントパネル３に固定しても、補強リブ３ｄ、ビス２４及びワッシャ２５は、注出口扉６を開いたときに利用者から見えない位置に配置されるため、実施の形態１と同様の効果を得ることができる。また、固定部材３１は、開口枠１２と補強リブ３ｄとに当接しているため、注出口扉６を開閉する際にフロントパネル３に作用する荷重が開口枠１２と補強リブ３ｄとに分散され、それにより、フロントパネル３の耐久性を向上することができる。また、固定部材３１を、開口枠１２と補強リブ３ｄとに嵌め込むように取り付けることが可能となるため、固定部材３１を取り付ける際における位置決めが容易となる。
【００３３】
実施の形態３．
次に、この発明の実施の形態３に係る飲料ディスペンサについて説明する。
この実施の形態３に係る飲料ディスペンサは、実施の形態２における固定部材３１がフロントパネル３の補強リブ３ｄに直接ビス止めされていたのに対し、以下に説明する金属製の補強部材４３を介して、固定部材４１をフロントパネル３の背面３ａに固定するように構成したものである。
【００３４】
図８（ａ）に示すように、フロントパネル３の背面３ａには、金属製の平板から形成された補強部材４３が取り付けられるようになっている。補強部材４３は、その両端部で屈折された脚部４３ａを有しており、脚部４３ａに形成された貫通穴４３ｂにビス４４を通し、フロントパネル３の背面３ａに形成されたビス穴３ｆに締め付けることによって固定されている。また、補強部材４３は、フロントパネル３の背面３ａに向かって開口するようにコ字状に形成されるとともに、ビス穴４３ｃが二箇所に形成された取付部４３ｄを有している。
【００３５】
図８（ｂ）に示すように、補強部材４３がフロントパネル３に取り付けられた状態において、取付部４３ｄは開口枠１２と補強リブ３ｄとの間に配置されており、この取付部４３ｄに固定部材４１が締結されるようになっている。固定部材４１は、実施の形態２における固定部材３１と同様にコ字状に形成された部材であって、第一屈折部４１ｄ及び第二屈折部４１ｅからなる締結部４１ｃを有している。また、締結部４１ｃにおいて、補強部材４３の取付部４３ｄに対向する第一屈折部４１ｄには貫通穴４２が二箇所に形成されており、ワッシャ２５及び貫通穴４２に通したビス２４が、取付部４３ｄのビス穴４３ｃに締め付けられるようになっている。すなわち、固定部材４１の締結部４１ｃは、補強部材４３を介してフロントパネル３に締結される。
【００３６】
このように、固定部材４１の締結部４１ｃを、補強部材４３を介してフロントパネル３に締結しても、実施の形態１、２と同様の効果が得られる。また、補強部材４３は金属製であるため、注出口扉６を開閉する際、樹脂製のフロントパネル３が荷重を受ける部位の強度が増し、フロントパネル３の耐久性をさらに向上することが可能となる。
【符号の説明】
【００３７】
１  飲料ディスペンサ、２  ディスペンサ本体、３  フロントパネル（本体扉）、３ａ  フロントパネルの背面（本体扉の背面）、３ｄ  補強リブ、５  注出空間、６  注出口扉、７  ヒンジ（回動支持部材）、１１  カップステージ、１２  開口枠（開口部）、１２ａ  開口枠の内部側面（開口部の内部側面）、２１，３１，４１  固定部材、２１ｂ，３１ｂ  支持部、２１ｃ，３１ｃ，４１ｃ  締結部、４３  補強部材。
【図１】
0005511484.tif 000002
【図２】
0005511484.tif 000003
【図３】
0005511484.tif 000004
【図４】
0005511484.tif 000005
【図５】
0005511484.tif 000006
【図６】
0005511484.tif 000007
【図７】
0005511484.tif 000008
【図８】
0005511484.tif 000009